(57)【要約】【課題】ソーシャルネットワークを構築する方法を提供する。【解決手段】本発明のソーシャルネットワークを構築する方法は、ユーザーにより伝送可能な作業システムが提供され、且つ伝送可能な作業システムが複数の他のユーザーに伝送されて伝送可能な作業システムと関連付けられる。前述の伝送ステップは前記ユーザー及び複数の他のユーザーにより重複して実行されることにより、伝送可能な作業システムと各他のユーザーとの間の直接リンク関係が構築され、前記ユーザー及び複数の他のユーザーが伝送可能な作業システム中で共同作業を行えるようになる。伝送可能な作業システムのホスト及び管理に用いられる第一ホームシステムは伝送可能な作業システムにより何れかの他のユーザーにより管理される関連付けられる第二ホームシステムとのソーシャルネットワークを形成させる。【選択図】図７
2017523541.tif 000002
【特許請求の範囲】
【請求項１】
伝送可能な作業システムを提供し、前記伝送可能な作業システムは第一ホームシステム中に位置され、且つ前記第一ホームシステムは関連第一ユーザーに管理されることと、
前記伝送可能な作業システムが少なくとも１人の第二ユーザーに伝送されることにより前記伝送可能な作業システム及び前記少なくとも１人の第二ユーザーが関連付けられ、前記伝送ステップは複数の前記第二ユーザーにより重複して実行され、前記伝送可能な作業システムと各前記第二ユーザーとの間の直接リンク関係が構築されることと、を含み、
ここでは、複数の前記直接リンク関係に基づいて、複数の前記関連第二ユーザー及び前記関連第一ユーザーが前記伝送可能な作業システム中で共同作業を行えるようになることを特徴とするソーシャルネットワークを拡張する方法。
【請求項２】
少なくとも１つの第二ホームシステムが構築され、前記第二ユーザーが前記伝送可能な作業システムをホスト及び管理が可能になるステップを更に含むことを特徴とする、請求項１に記載のソーシャルネットワークを拡張する方法。
【請求項３】
前記第二ホームシステムは、前記伝送可能な作業システムが前記第二ユーザーに関連付けられた後に構築されることを特徴とする、請求項２に記載のソーシャルネットワークを拡張する方法。
【請求項４】
統一資源識別子（Ｕｎｉｆｏｒｍ  Ｒｅｓｏｕｒｃｅ  Ｉｄｅｎｔｉｆｉｅｒ、ＵＲＩ）により前記伝送可能な作業システムが取得され、且つプロジェクターが利用されて前記伝送可能な作業システムが投影されるステップを更に含むことを特徴とする、請求項３に記載のソーシャルネットワークを拡張する方法。
【請求項５】
前記プロジェクターが取得され、前記プロジェクターがエンジンにロードされ、且つ前記プロジェクターが利用されて前記伝送可能な作業システムが投影され、前記エンジンは前記プロジェクターを実行するための互換環境を提供するために用いられ、前記プロジェクターが実行されるステップを更に含むことを特徴とする、請求項２に記載のソーシャルネットワークを拡張する方法。
【請求項６】
前記関連第一ユーザー及び各前記関連第二ユーザーは、前記直接リンク関係により前記伝送可能な作業システムに関連付けられ、且つ前記関連第一ユーザー及び前記関連第二ユーザーは、前記伝送可能な作業システム中で相互作用、通信、及び共同作業を行うことを特徴とする、請求項５に記載のソーシャルネットワークを拡張する方法。
【請求項７】
プロジェクターが取得され、前記プロジェクターがエンジンにロードされ、且つ前記プロジェクターが利用されて前記伝送可能な作業システムが投影され、前記エンジンは前記プロジェクターを実行するための互換環境を提供するために用いられ、前記プロジェクターが実行されるステップを更に含むことを特徴とする、請求項１に記載のソーシャルネットワークを拡張する方法。
【請求項８】
前記伝送ステップにおいて、前記伝送可能な作業システム及び前記プロジェクターは前記関連第一ユーザーから提供される統一資源識別子により取得されることを特徴とする、請求項７に記載のソーシャルネットワークを拡張する方法。
【請求項９】
前記エンジンは、Ｊａｖａ（登録商標）ｓｃｒｉｐｔエンジン、ウィンドウズ（登録商標）アプリケーション、またはＬｉｎｕｘ（登録商標）アプリケーションの内の少なくとも１つを含むことを特徴とする、請求項７に記載のソーシャルネットワークを拡張する方法。
【請求項１０】
前記プロジェクターは、リモートデータステーションまたはプリインストールされたアプリケーションから取得されることを特徴とする、請求項７に記載のソーシャルネットワークを拡張する方法。
【請求項１１】
前記伝送可能な作業システムは、前記関連第一ユーザー及び前記関連第二ユーザーの共同処理、情報交換、ビジネス交流、及び／或いは伝達の人間関係に基づいた作業が反映されることを特徴とする、請求項７に記載のソーシャルネットワークを拡張する方法。
【請求項１２】
前記関連第一ユーザー及び各前記関連第二ユーザーは前記直接リンク関係により前記伝送可能な作業システムに関連付けられ、且つ前記関連第一ユーザー及び前記関連第二ユーザーは前記伝送可能な作業システム中で相互作用、通信、及び／或いは共同作業を行うことを特徴とする、請求項１に記載のソーシャルネットワークを拡張する方法。
【請求項１３】
少なくとも１人の前記関連第二ユーザーにより管理される少なくとも１つの第二ホームシステムを更に含み、前記伝送可能な作業システムのホスト及び管理に用いられることを特徴とする、請求項１２に記載のソーシャルネットワークを拡張する方法。
【請求項１４】
前記伝送可能な作業システムはプロジェクト可能な空間のインスタンスにより構築されることを特徴とする、請求項１に記載のソーシャルネットワークを拡張する方法。
【請求項１５】
前記プロジェクト可能な空間のインスタンスは、オブジェクト（ｏｂｊｅｃｔ）、拡張可能マークアップ言語（ＸＭＬ）、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）で生成されるインスタンス（ｉｎｓｔａｎｃｅ）であることを特徴とする、請求項１４に記載のソーシャルネットワークを拡張する方法。
【請求項１６】
伝送可能な作業システムが取得され、前記伝送可能な作業システムは第一ホームシステムによりホスト及び管理されることと、
少なくとも１つの第二ホームシステム及び前記伝送可能な作業システムに関連付けられ、前記第一ホームシステム及び関連付けられる前記第二ホームシステムの間のソーシャルネットワークは前記伝送可能な作業システムにより構築されることと、を含むことを特徴とするソーシャルネットワークを設立する方法。
【請求項１７】
プロジェクターが利用されて前記伝送可能な作業システムが投影されるステップを更に含むことを特徴とする、請求項１６に記載のソーシャルネットワークを設立する方法。
【請求項１８】
前記関連付けステップは、
前記第二ホームシステム中にプリセットされる前記プロジェクターが使用されて前記伝送可能な作業システムが投影され、または前記伝送可能な作業システムが投影された後に前記第二ホームシステムが構築され、前記関連付けられる伝送可能な作業システム及び前記プロジェクターがホストされると共に管理されるステップを更に含むことを特徴とする、請求項１７に記載のソーシャルネットワークを設立する方法。
【請求項１９】
前記伝送可能な作業システム及び／或いは前記プロジェクターは、統一資源識別子により取得されることを特徴とする、請求項１７に記載のソーシャルネットワークを設立する方法。
【請求項２０】
前記第一ホームシステム及び前記第二ホームシステムは、同じまたは異なるシステムであり、且つ前記伝送可能な作業システムは、前記第一ホームシステム或いは関連付けられる前記第二ホームシステム中で、相互作用、通信、及び／或いは共同作業の機能を提供することを特徴とする、請求項１６に記載のソーシャルネットワークを設立する方法。
【請求項２１】
複数の前記第二ホームシステムは、前記伝送可能な作業システムによりリンクされることを特徴とする、請求項１６に記載のソーシャルネットワークを設立する方法。
【請求項２２】
前記伝送可能な作業システムは、プロジェクト可能な空間のインスタンスにより構築されることを特徴とする、請求項１６に記載のソーシャルネットワークを設立する方法。
【請求項２３】
前記プロジェクト可能な空間のインスタンスは、オブジェクト（ｏｂｊｅｃｔ）、拡張可能マークアップ言語（ＸＭＬ）、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）で生成されるインスタンス（ｉｎｓｔａｎｃｅ）であることを特徴とする、請求項２２に記載のソーシャルネットワークを設立する方法。
【請求項２４】
伝送可能な作業システムを提供し、前記伝送可能な作業システムは第一ホームシステム中に位置され、且つ前記第一ホームシステムは関連第一ユーザーにより管理され、前記関連第一ユーザーは前記第一ホームシステム中で前記伝送可能な作業システム及びその機能を自由に組み合わせて設定できるステップと、
前記伝送可能な作業システムが複数の第二ユーザーに伝送されることにより、前記伝送可能な作業システム及び少なくとも１人の前記第二ユーザーが関連付けられ、各前記関連第二ユーザーは、前記伝送可能な作業システムとの直接リンク関係が形成され、インターネット上のソーシャルネットワークが拡張されるステップとを含むことを特徴とするソーシャルネットワークを拡張する方法。
【請求項２５】
前記関連第一ユーザーにより、マテライザー、統一情報ユニット、または統一ツールが前記伝送可能な作業システム中に提供されることを特徴とする、請求項２４に記載のソーシャルネットワークを拡張する方法。
【請求項２６】
前記関連第一ユーザー及び前記関連第二ユーザーは、前記伝送可能な作業システム中で、相互作用、通信、及び／或いは共同作業を行うことを特徴とする、請求項２４に記載のソーシャルネットワークを拡張する方法。
【請求項２７】
前記伝送可能な作業システムは、プロジェクト可能な空間のインスタンスにより構築されることを特徴とする、請求項２４に記載のソーシャルネットワークを拡張する方法。
【請求項２８】
前記プロジェクト可能な空間のインスタンスは、オブジェクト（ｏｂｊｅｃｔ）、拡張可能マークアップ言語（ＸＭＬ）、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）で生成されるインスタンス（ｉｎｓｔａｎｃｅ）であることを特徴とする、請求項２７に記載のソーシャルネットワークを拡張する方法。
【請求項２９】
請求項１に記載の方法を実行するための複数の命令を含む非一時的な記憶媒体であって、前記非一時的な記憶媒体はインターネットに接続されることを特徴とする非一時的な記憶媒体。
【請求項３０】
ネットワーク接続ユニットに請求項１６に記載の方法を実行させるための複数の命令を含む非一時的な記憶媒体であって、前記ネットワーク接続ユニットにはプログラム、エンジン、またはマイクロカーネルが装備されることを特徴とする非一時的な記憶媒体。
【発明の詳細な説明】
【技術分野】
【０００１】
本発明は、ソーシャルネットワークの分野に関し、より詳しくは、ソーシャルネットワークの設立及び拡張の分野に関する。
【背景技術】
【０００２】
近年、ＭｙＳｐａｃｅ（登録商標）及びＦａｃｅｂｏｏｋ（登録商標）等のソーシャルネットワークサイトが急速に発展しており、インターネット利用の新たなトレンドとなっている。一般的には、ソーシャルネットワークは通常、既にある繋がりを広げてユーザーが友達の輪を維持し、広げるのを助けるサービス及びツールに関係する。ソーシャルネットワークサイトは、インターネット上において多くの人が最も時間を費やすサイトとなっており、ソーシャルネットワークサイトがオンライン活動の主要な入口となっている。同時に、ソーシャルネットワークサイトは、リンク、マルチメディア、音楽等の情報の共有センターともなっている。
【発明の概要】
【発明が解決しようとする課題】
【０００３】
しかしながら、現在のソーシャルネットワークには多くの制限が存在する。先ず、ユーザーはアカウント登録を行ってソーシャルネットワークサイトにログインしなければ現在のソーシャルネットワークサービスプロバイダーの下で情報を共有する目的を達成できず、且つユーザーが未登録またはログインしていない場合は、異なるソーシャルネットワークサービスプロバイダーと相互に通信できない。また、異なる様々なソーシャルグループのユーザーにとっては、共有しているまたは取得している情報やメッセージが、異なるソーシャルグループのソーシャルネットワークサービスプロバイダーにより提供されているサーバー或いはクラウドストレージに分散されているため、管理が困難であった。たとえユーザーが単一のプラットフォームを通してこれら上記情報やメッセージにアクセスできても、ユーザーは上記単一のプラットフォームをインストールするか、アカウント登録するか、ログインしなければならない。このほかにも、単一または統合されたプラットフォームを利用して情報の共有や通信を行う場合、ユーザーが投稿した共有メッセージ、討論メッセージ、或いは通信メッセージを他のユーザーが修正や編集を行うことはできず、他のアプリケーション（ａｐｐｌｉｃａｔｉｏｎ）やプログラム（ｐｒｏｇｒａｍ）に完全にコピーしなければ編集を行えない。すなわち、相互に通信中のユーザーがこれら上記情報やメッセージを共同で処理することはできない。
【０００４】
例えば、現在のソーシャルネットワークサービスプロバイダーは、特定の目的のためにフォーラムを設置して開始することができる。人々の興味を惹くための最もよくある方法として、ユーザーにフォーラムへの招待を伝送してユーザーをフォーラムに加入させる方法がある。招待された何れかのユーザーがフォーラムのコンテンツを一部閲覧したり、何らかのフォーラム活動に加入したりすることがある。しかし、何れかのユーザーがフォーラムによりインタラクティブに関わりたい場合、既存のアカウントを使用してフォーラムに加入するか、または新たなアカウントを申請しなければならず、こうしてフォーラムにログインした後にフォーラム中のより多くのコンテンツを閲覧したり、アクセスしたりすることができる。
【０００５】
さらに、現在のソーシャルネットワークサービスプロバイダーは、そのプラットフォーム上で電話会議機能を有する特定のアプリケーションを提供することでユーザーの興味を惹いている。例えば、Ｓｋｙｐｅ（登録商標）等である。電話会議サービスを使用して進行中の特定の電話会議に加入したい全てのユーザーは、登録済みのアカウントにより電話会議サービス機能を有するアプリケーションを提供するプラットフォームにログインして、特定の電話会議に加入しなければならない。
【０００６】
なお、例えばＧｏｏｇｌｅ（登録商標）  Ｔａｌｋでは、ユーザーはＧｏｏｇｌｅが提供するＥメールアカウントにより討論への招待を他の人に伝送でき、且つ現在のＥメールアカウントが、Ｇｏｏｇｌｅが提供するものでなくとも、あらゆる人が現在有しているＥメールアカウントを使用して招待を受信できる。しかし、Ｇｏｏｇｌｅが提供するＥメールアカウント以外で招待を受信した場合、対応する上記招待されたＧｏｏｇｌｅ  Ｔａｌｋの活動には加入できない。また、例えば、Ｆａｃｅｂｏｏｋでは、プラットフォームプロバイダーが会員に対して様々な活動を提供しており、且つ会員は友達と一緒に互いの毎日のステータスや活動を共有したり、閲覧したりすることができる。但し、登録済みのＦａｃｅｂｏｏｋアカウントを持っていないユーザーは、同様に友達がＦａｃｅｂｏｏｋ上で共有しているステータスを閲覧したり、アクセスしたりすることはできない。よって、ユーザーはこれら上記ソーシャルネットワークサービスプロバイダーにアカウントを申請しなければならず、ユーザーにとっては、そのアカウント管理が負担となる。
【０００７】
更に詳しくは、例えば、Ｄｒｏｐｂｏｘ（登録商標）では、ユーザーがＤｒｏｐｂｏｘのプラットフォームに共有フォルダーを開設し、ファイルの共有、ダウンロード、アップロード等が行える。上記ユーザーは、他のユーザーと上記共有フォルダーを共同で使用できるが、上記共有フォルダー中で相互作用、通信、または共同作業を行うことはできない。すなわち、上記ユーザーが他のユーザーと一緒に共有フォルダーを利用して特定のタスクを協力して実行することができない。さらに、例えば、Ｉｎｓｔａｇｒａｍ（登録商標）では、ユーザーはソーシャルネットワークサービスプロバイダーが提供するスペースに写真やビデオを投稿でき、また、例えば、ＬｉｎｋｅｄＩｎ（登録商標）では、ユーザーが、同様にソーシャルネットワークサービスプロバイダーが提供するスペースに履歴を投稿したり、更新したりできるが、他のサービスプラットフォームと同じように、ユーザーは登録済みのアカウントを使用してプラットフォーム中のコンテンツにアクセスする必要がある。
【０００８】
以上のとおり、異なるソーシャルネットワークサービスプロバイダーが提供する異なる活動及びサービスは互いに独立及び分割されており、且つユーザーや何れのソーシャルネットワークサービスプロバイダーも垣根を超えてリンクさせることはできない。このため、ユーザーにとっては、異なるソーシャルネットワークサービスプロバイダーに分散する各種の資産を統合させる適切な方法がないため、分散される異なるソーシャルネットワークの間で個人的なソーシャルネットワークを弾力的に統合させたり、拡張させたりすることもできない。
【０００９】
ソーシャルネットワークサービスプロバイダーにとっては、特定のまたは統合された機能を有する様々なフォーラム、活動、あるいはアプリケーションを構築して市場の需要を満たす必要がある。このため、ユーザーの興味を惹くために、ソーシャルネットワークサービスプロバイダーが同じような機能を有するフォーラム、活動、またはアプリケーションを過剰に供給することが予見される。
【００１０】
本発明は、伝送可能な作業システム（ｗｏｒｋ  ｓｙｓｔｅｍ）を利用して個人ユーザー及び／或いは異なるソーシャルネットワークの会員をリンクさせるソーシャルネットワークを設立する方法及び上記方法を応用する記憶媒体を提供する。ユーザーは、伝送可能な作業システムと関連付けられると共に伝送可能な作業システムが異なるユーザーに伝送され、その個人的ソーシャルネットワークが構築される。
【００１１】
本発明は、ホームシステム（ｈｏｍｅ  ｓｙｓｔｅｍ）をユーザーに提供して伝送可能な作業システムのホスト及び管理を可能にするソーシャルネットワークを拡張する方法及び上記方法を応用する記憶媒体を提供する。伝送可能な作業システムに関連付けられると共にホームシステムを有するユーザーは、任意のネットワーク接続方式により伝送可能な作業システムにアクセスできる。
【００１２】
本発明は、伝送可能な作業システムがユーザーに使用させるために設立されることにより、ソーシャルネットワークを拡張する方法及び上記方法を応用する記憶媒体を提供する。ユーザーが管理するホームシステムにおいて、各種のマテライザー（Ｍａｔｔｅｒｉｚｅｒ）やツールを伝送可能な作業システム中で自由に組み合せることができる。
【課題を解決するための手段】
【００１３】
本発明に係るソーシャルネットワークを拡張する方法は、
伝送可能な作業システムを提供し、伝送可能な作業システムは第一ホームシステム中に位置され、且つ第一ホームシステムは関連第一ユーザーに管理されることと、
伝送可能な作業システムが少なくとも１人の第二ユーザーに伝送されることにより伝送可能な作業システム及び少なくとも１人の第二ユーザーが関連付けられ、伝送ステップは複数の第二ユーザーにより重複して実行され、伝送可能な作業システムと各第二ユーザーとの間の直接リンク関係が構築されることとを含み、
ここでは、複数の直接リンク関係に基づいて、複数の関連第二ユーザー及び前記関連第一ユーザーが伝送可能な作業システム中で共同作業を行えるようになる。
【００１４】
好ましい実施形態では、本発明のソーシャルネットワークを拡張する方法は、少なくとも１つの第二ホームシステムが構築され、第二ユーザーが伝送可能な作業システムをホスト及び管理が可能になるステップを更に含む。
【００１５】
好ましい実施形態では、第二ホームシステムは、伝送可能な作業システムが前記第二ユーザーに関連付けられた後に構築される。
【００１６】
好ましい実施形態では、本発明のソーシャルネットワークを拡張する方法は、統一資源識別子（Ｕｎｉｆｏｒｍ  Ｒｅｓｏｕｒｃｅ  Ｉｄｅｎｔｉｆｉｅｒ、ＵＲＩ）により伝送可能な作業システムが取得され、且つプロジェクターが利用されて伝送可能な作業システムが投影されるステップを更に含む。
【００１７】
好ましい実施形態では、本発明のソーシャルネットワークを拡張する方法は、プロジェクターが取得され、プロジェクターがエンジン（ｅｎｇｉｎｅ）にロードされ、且つプロジェクターが利用されて伝送可能な作業システムが投影され、エンジン（ｅｎｇｉｎｅ）はプロジェクターを実行するための互換環境を提供するために用いられ、プロジェクターが実行されるステップを更に含む。
【００１８】
好ましい実施形態では、関連第一ユーザー及び各関連第二ユーザーは直接リンク関係により伝送可能な作業システムに関連付けられ、且つ関連第一ユーザー及び関連第二ユーザーは伝送可能な作業システム中で相互作用、通信、及び共同作業を行う。
【００１９】
好ましい実施形態では、本発明のソーシャルネットワークを拡張する方法は、プロジェクターが取得され、プロジェクターがエンジン（ｅｎｇｉｎｅ）にロードされ、且つプロジェクターが利用されて伝送可能な作業システムが投影され、エンジン（ｅｎｇｉｎｅ）はプロジェクターを実行するための互換環境を提供するために用いられ、プロジェクターが実行されるステップを更に含む。
【００２０】
好ましい実施形態では、伝送ステップにおいて、伝送可能な作業システム及びプロジェクターは関連第一ユーザーから提供される統一資源識別子により取得される。
【００２１】
好ましい実施形態では、エンジン（ｅｎｇｉｎｅ）は、Ｊａｖａ（登録商標）ｓｃｒｉｐｔエンジン、ウィンドウズ（登録商標）アプリケーション、またはＬｉｎｕｘ（登録商標）アプリケーションの内の少なくとも１つを含む。
【００２２】
好ましい実施形態では、プロジェクターは、リモートデータステーションまたはプリインストールされたアプリケーションから取得される。
【００２３】
好ましい実施形態では、伝送可能な作業システムは、関連第一ユーザー及び関連第二ユーザーの共同処理、情報交換、ビジネス交流、及び／或いは伝達の人間関係に基づいた作業が反映される。
【００２４】
好ましい実施形態では、関連第一ユーザー及び各関連第二ユーザーは直接リンク関係により伝送可能な作業システムに関連付けられ、且つ関連第一ユーザー及び関連第二ユーザーは伝送可能な作業システム中で相互作用、通信、及び／或いは共同作業を行う。
【００２５】
好ましい実施形態では、少なくとも１人の関連第二ユーザーにより管理される少なくとも１つの第二ホームシステムを更に含み、伝送可能な作業システムのホスト及び管理に用いられる。
【００２６】
好ましい実施形態では、前記伝送可能な作業システムはプロジェクト可能な空間のインスタンスにより構築される。
【００２７】
好ましい実施形態では、前記プロジェクト可能な空間のインスタンスは、オブジェクト（ｏｂｊｅｃｔ）、拡張可能マークアップ言語（ＸＭＬ）、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）で生成されるインスタンス（ｉｎｓｔａｎｃｅ）である。
【００２８】
好ましい実施形態では、本発明はソーシャルネットワークを設立する方法を更に提供し、
伝送可能な作業システムが取得され、伝送可能な作業システムは第一ホームシステムによりホスト及び管理されることと、
少なくとも１つの第二ホームシステム及び伝送可能な作業システムに関連付けられ、第一ホームシステム及び関連付けられる第二ホームシステムの間のソーシャルネットワークは伝送可能な作業システムにより構築されることと、を含む。
【００２９】
好ましい実施形態では、本発明のソーシャルネットワークを設立する方法は、プロジェクターが利用されて伝送可能な作業システムが投影されるステップを更に含む。
【００３０】
好ましい実施形態では、関連付けステップは、第二ホームシステム中にプリセットされるプロジェクターが使用されて伝送可能な作業システムが投影され、または伝送可能な作業システムが投影された後に第二ホームシステムが構築され、関連付けられる伝送可能な作業システム及びプロジェクターがホストされると共に管理されるステップを更に含む。
【００３１】
好ましい実施形態では、伝送可能な作業システム及び／或いはプロジェクターは統一資源識別子により取得される。
【００３２】
好ましい実施形態では、第一ホームシステム及び第二ホームシステムは同じまたは異なるシステムであり、且つ伝送可能な作業システムは第一ホームシステム或いは関連付けられる第二ホームシステム中で、相互作用、通信、及び／或いは共同作業の機能を提供する。
【００３３】
好ましい実施形態では、複数の第二ホームシステムは伝送可能な作業システムによりリンクされる。
【００３４】
好ましい実施形態では、前記伝送可能な作業システムはプロジェクト可能な空間のインスタンスにより構築される。
【００３５】
好ましい実施形態では、前記プロジェクト可能な空間のインスタンスは、オブジェクト（ｏｂｊｅｃｔ）、拡張可能マークアップ言語（ＸＭＬ）、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）で生成されるインスタンス（ｉｎｓｔａｎｃｅ）である。
【００３６】
本発明はソーシャルネットワークを拡張する方法を提供することを主な目的とし、
伝送可能な作業システムを提供し、伝送可能な作業システムは第一ホームシステム中に位置され、且つ第一ホームシステムは関連第一ユーザーにより管理され、関連第一ユーザーは第一ホームシステム中で伝送可能な作業システム及びその機能を自由に組み合わせて設定できるステップと、
伝送可能な作業システムが複数の第二ユーザーに伝送されることにより伝送可能な作業システム及び少なくとも１人の第二ユーザーが関連付けられ、各関連第二ユーザーは伝送可能な作業システムとの直接リンク関係が形成され、インターネット上のソーシャルネットワークが拡張されるステップとを含む。
【００３７】
好ましい実施形態では、関連第一ユーザーにより、マテライザー、統一情報ユニット、または統一ツールが伝送可能な作業システム中に提供される。
【００３８】
好ましい実施形態では、関連第一ユーザー及び複数の関連第二ユーザーは伝送可能な作業システム中で、相互作用、通信、及び／或いは共同作業を行う。
【００３９】
好ましい実施形態では、前記伝送可能な作業システムはプロジェクト可能な空間のインスタンスにより構築される。
【００４０】
好ましい実施形態では、前記プロジェクト可能な空間のインスタンスは、オブジェクト（ｏｂｊｅｃｔ）、拡張可能マークアップ言語（ＸＭＬ）、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）で生成されるインスタンス（ｉｎｓｔａｎｃｅ）である。
【００４１】
本発明は非一時的な記憶媒体を更に提供し、上述の拡張ソーシャルネットワークの方法を実行するための複数の命令を含み、非一時的な記憶媒体はインターネットに接続される。
【００４２】
本発明は非一時的な記憶媒体を更に提供し、ネットワーク接続ユニットに上述のソーシャルネットワークを設立する方法を実行させるための複数の命令を含み、ネットワーク接続ユニットにはプログラム（ｐｒｏｇｒａｍ）、エンジン（ｅｎｇｉｎｅ）、またはマイクロカーネル（ｍｉｃｒｏｋｅｒｎｅｌ）が設けられる。
【００４３】
本発明は伝送可能な作業システムが利用されて個人ユーザー及び／或いは異なるソーシャルネットワークの会員がリンクされ、ユーザーは伝送可能な作業システムに関連付けられると共に伝送可能な作業システムが異なるユーザーに伝送されてその個人的なソーシャルネットワークが構築される。本発明はホームシステムがユーザーに更に提供され、伝送可能な作業システムのホスト及び管理に用いられ、且つユーザーが有するホームシステムにおいて各種のマテライザーやツールは伝送可能な作業システム中で自由に組み合わせることができる。
【図面の簡単な説明】
【００４４】
【図１】実施形態における統一方法の実施概念の概略図である。
【図２】統一スクリプトを、個人用ワークスペースを実現するための中間言語とする好ましい概念の概略図である。
【図３】個人用ワークスペースの好ましい配置の概略図である。
【図４】好ましい実施形態におけるワークスペースを投影する方法の初期状態の概略図である。
【図５Ａ】図４に示すワークスペースを投影する方法の動作概念の概略図である。
【図５Ｂ】図４に示すワークスペースを投影する方法の動作概念の概略図である。
【図６】図４に示すプロジェクト可能な空間のインスタンス及び図５Ｂに示す投影されたワークスペースの相対関係の概略図である。
【図７】本発明に係るソーシャルネットワークを設立する方法のブロックシステムの概略図である。
【図８】本発明の第二ホームシステムの構築のプロセスを示す概略図である。
【図９】本発明のユーザー端の現在のまたはプリセットのホームシステム中で伝送可能な作業システムが開かれるプロセスを示す概略図である。
【図１０】本発明に係る作業システムの空間インスタンスの例の概略図である。
【図１１】本発明が投影された後の伝送可能な作業システムのインターフェースの例の概略図である。
【図１２】本発明における複数のホームシステムまたは複数のユーザーが伝送可能な作業システムによりソーシャルネットワークを形成する概略図である。
【発明を実施するための形態】
【００４５】
本発明は、以下の用語及び結論の実例を含む以下の説明により、より完全な理解を促す。簡潔にするために、本明細書において、発明の公開された内容を含む出版物を本文に参照のために引用する。
【００４６】
以下、本発明の実施形態は制限がなく、且つ本発明の各種の態様及び特徴を示すのみである。最も制限を受ける技術的意義について、本文で述べる「情報源」とは有用な情報に翻訳される符号の序列を指し、且つこれら上記有用な情報は情報の整理及びラベリングに用いられる。情報源は、ウェブサイト（例えば、インターネットサービス）、イントラネット、ソーシャルネットワーク、ソフトウェア、電子書籍、データベース、及び他の情報メディアを含む（例えば、非一時的コンピューターに用いられる記憶媒体、モバイル装置の記録媒体）。また、本文で述べる「元の情報」は、ファイル、ウェブページ、データベース、ポリシー、ルール、或いは関連する機器及びサーバーがアクセス可能なあらゆる情報を含み、本文で述べる「元のツール」は、ユーティリティプログラム、ウィジェット、知的エージェント、アプリケーションプログラム、サービスツール、或いは関連する機器及びサーバーがアクセス可能なあらゆる実行可能な要素を含む。但し、情報源、元の情報、及び元のツールは上述のものに限定されない。
【００４７】
また、「元の情報」及び「元のツール」は共に本文で述べる「元の要素」の実施態様であり、且つ本発明の実施においては、同じまたは異なる「情報源」からの複数の「元の要素」は全て統一方法を経て複数の「統一要素」にそれぞれモデル化され、同じ作業環境で複数の「統一要素」が全て互いに互換し、協調して特定のタスクを実行できる。「統一ツール」及び「統一情報ユニット」は共に「統一要素」の実施態様である。また、本文で述べる「マテライザー（Ｍａｔｔｅｒｉｚｅｒ）」は、「元の要素」に対して統一を行うコンポーネント、装置、あるいはプログラムコードである。
【００４８】
ある実施形態では、上述の統一方法は、統一データモデルに基づいて複数の情報源の少なくとも１つの情報源から取得される元の情報が再編されることにより、元の情報が統一情報ユニットにモデル化（ｍｏｄｅｌｉｎｇ）され、及び／或いは他の統一データモデルに基づいて複数の情報源の少なくとも１つの情報源から取得される元のツールが再編されることにより、元のツールが統一ツールにモデル化される。上記統一データモデル及び上記他の統一データモデルは同じであるか、または異なり、且つ上述の統一方法はマテライザー（Ｍａｔｔｅｒｉｚｅｒ）により完成される。
【００４９】
図１は実施形態における上述の統一方法の実施概念の概略図である。図１は、マテライザー９９２が統一データモデル９９３に基づいて元の要素９９１の属性及び関連リンクを再編させ、元の要素９９１が統一要素９９４にモデル化され、統一要素９９４の基本属性が元の要素のタイプ（ｔｙｐｅ）及び元の要素のロケーションを表示するリンク（ｌｉｎｋ）を含むことを図示する。
【００５０】
本実施形態では、元の要素９９１は元の情報（図示せず）または元のツール（図示せず）を少なくとも含むが、これに限定されない。次いで、上述の統一方法において、元の情報から取得された属性が統一情報ユニット中で統一された属性に対応する場合、マテライザー９９２により統一情報ユニットが直接生成される。元の情報から取得される属性が統一情報ユニット中で統一された属性に対応しない場合、先ず元の情報の属性及び関連リンクに対して論理的再編が行われることにより元の情報が再定義され、元の情報がその属性が統一情報ユニット中で統一された属性に対応する新しい元の情報に変換され、統一情報ユニットが間接的に生成される。
【００５１】
なお、元のツールがワークスペース（ｗｏｒｋｓｐａｃｅ）の作業環境に互換性がある場合、マテライザー９９２により上記統一ツールが直接生成される。元のツールがワークスペースの作業環境に互換性がない場合、アダプタ（ａｄａｐｔｅｒ）及び／或いは元のツールのソフトウェア開発キット（ＳＤＫ）により元のツールが駆動されて上記統一ツールが間接的に生成される。また、上記アダプタ（ａｄａｐｔｅｒ）によりワークスペースに互換性のあるインターフェースの実装（ｉｎｔｅｒｆａｃｅ  ｉｍｐｌｅｍｅｎｔａｔｉｏｎ）が提供される。
【００５２】
本実施形態に係る「統一方法の具体的な実施方式」、「統一要素の具体的な獲得方式」、及び「マテライザーの具体的な作動方式」はアメリカ特許出願第１４／３２４０６９号「Ａ  ＭＥＴＨＯＤ  ＯＦ  ＵＮＩＦＹＩＮＧ  ＩＮＦＯＲＭＡＴＩＯＮ  ＡＮＤ  ＴＯＯＬ  ＦＲＯＭ  Ａ  ＰＬＵＲＡＬＩＴＹ  ＯＦ  ＩＮＦＯＲＭＡＴＩＯＮ  ＳＯＵＲＣＥＳ」を参照し、上記アメリカ特許出願１４／３２４０６９号を国際優先権主張の基礎とする中国特許出願第２０１４１０７６８５６４．Ｘ号「複数の情報源からの情報とツールを統一する方法及び上記方法、並びに上記方法を応用するコンピュータプログラム製品及び装置」を参照するため、ここでは再述しない。また、本技術分野に習熟する者ならば、実際の応用の需要に応じて同等の効果を達成させるあらゆる設計変更が可能である。
【００５３】
ちなみに、上述の統一方法は、本願が採用する統一方法の実施形態にすぎず、異なる情報源からの複数の元の要素を統一する方法は以上のものに限られず、本技術に習熟する者ならば実際の応用の需要に応じて同等の効果を達成させるあらゆる設計変更が可能である。
【００５４】
以下では上述の説明とは異なる２つの統一方法を例示する。第一統一方法はＧａｒｍｉｎ（登録商標）の衛星ナビゲーションに応用されるデータ統一方法であり、Ｇａｒｍｉｎの衛星ナビゲーションの興味のある地点（Ｐｏｉｎｔ  ｏｆ  Ｉｎｔｅｒｅｓｔ、ＰＯＩ）機能は、上記データ統一方法によりその中に入力される元の地点情報（元の情報）に対して統一プロセスが実行されることにより対応する統一地点情報（統一情報ユニット）が獲得される。第二方法はアンドロイド（登録商標）（Ａｎｄｒｏｉｄ）システムに応用されるツール統一方法である。アンドロイド（Ａｎｄｒｏｉｄ）システムはＬｉｎｕｘ（登録商標）を基礎とするオープンソースのモバイルオペレーティングシステムである。但し、アンドロイドシステムにおけるアプリケーションプログラム（元のツール）の多くはＪａｖａ（登録商標）でプログラムされており、よってＪａｖａ（登録商標）でプログラムされたアプリケーションプログラム（元のツール）は全て上記ツール統一方法によりアンドロイドシステムに互換性のある統一アプリケーションプログラム（統一ツール）にモデル化され、アンドロイドシステム上で実行可能となる。
【００５５】
さらに、本文で述べる「ワークスペース」とは、少なくとも１つのマテライザー及び／或いは少なくとも１つのツール及び／或いは少なくとも１つの情報を相互作用させて特定のタスクを実行させるためのワークスペースを指し、且つ少なくとも１つの情報及び／或いは少なくとも１つのツールは少なくとも１つのマテライザーによりワークスペース中に入力される。但し、情報及び／或いはツールをワークスペースに入力する方式はこれに限られない。次に、以下で述べる情報入力器（ｉｎｆｏｒｍａｔｉｏｎ  ｉｍｐｏｒｔｅｒ）（図２の情報入力器９８８１、９８８２、９８８３等）は全てマテライザーの実施態様である。また、本文で述べる「統一スクリプト」とは、ワークスペースを実現させるための中間言語とするものを指し、且つ「統一スクリプト」により少なくとも１つのマテライザー及び／或いは少なくとも１つの情報及び／或いは少なくとも１つのツールがワークスペースに提供される（例えば、ビルトインやプラグイン）。
【００５６】
ある実施形態では、上述の少なくとも１つの情報は、少なくとも１つの情報源から取得される少なくとも１つの元の情報が統一された後に形成される少なくとも１つの統一情報ユニットであり、上述の少なくとも１つのツールは、少なくとも１つの情報源から取得される少なくとも１つの元のツールが統一された後に形成される少なくとも１つの統一ツールである。ユーザーは、異なるタスクに基づいて、必要な統一情報ユニット及び／或いは統一ツールを対応する情報源から（例えば、ビルトインやプラグイン）個人用ワークスペース中に加える。ゆえに、「ワークスペース」はユーザー指向の「個人用ワークスペース」である。
【００５７】
より詳しくは、図２及び図３を参照し、図２は統一スクリプトを、個人用ワークスペースを実現させるための中間言語とする好ましい概念の概略図であり、図３は図２に示す個人用ワークスペースの好ましい配置の概略図である。図２及び図３は、ユーザーがタスクの必要に応じて、Ｄｒｏｐｂｏｘ９８２中の元の情報９８５に対応する統一情報ユニット９８５’、クラウドストレージ９８３中の互換性のある元のツール９８６に対応する第一統一ツール９８６’、及びサーバー９８４中の互換性のない元のツール９８７に対応する第二統一ツール９８７’を個人用ワークスペース９８１中で組み合わせることを図示する。更に詳しくは、ユーザーは先ず個人用ワークスペース９８１を実現させるための中間言語とする統一スクリプト９８０を編集し、且つ統一スクリプト９８０によりＤｒｏｐｂｏｘ９８２の情報入力器９８８１、クラウドストレージ９８３の情報入力器９８８２、及びサーバー９８４の情報入力器９８８３の設定（ｃｏｎｆｉｇｕｒｅ）を行う。情報入力器９８８１によりＤｒｏｐｂｏｘ９８２中の元の情報９８５が統一情報ユニット９８５’に統一され、且つ個人用ワークスペース９８１に入力される。
【００５８】
さらに、図２及び図３は、クラウドストレージ９８３内に保存される元のツールが互換性のある元のツール９８６であり（すなわち、上記互換性のある元のツール９８６が個人用ワークスペース９８１中の統一ツールに用いられるコンポーネント構造と互換する）、且つ統一スクリプト９８０（その中の情報入力器９８８２が利用される）により互換性のある元のツール９８６に対応する第一統一ツール９８６’が個人用ワークスペース９８１に直接提供されることを図示する。
【００５９】
なお、図２及び図３は、サーバー９８４内に保存される元のツールが互換性のない元のツール９８７であり（すなわち、上記互換性のない元のツール９８７が個人用ワークスペース９８１中で統一ツールに用いられるコンポーネント構造と互換しない）、且つスクリプト９８０（その中の互換性のあるアダプタ９８９及び情報入力器９８８３が利用される）により互換性のない元のツール９８７に対応する第二統一ツール９８７’が個人用ワークスペース９８１に提供されることを更に図示する。
【００６０】
また、図３は、ユーザーが実際の応用の必要に応じて統一情報ユニット９８５’、第一統一ツール９８６’、及び第二統一ツール９８７’を個人用ワークスペース９８１の特定の領域に配置させる（例えば、グループ化（ｇｒｏｕｐｉｎｇ）または配置（ｐｌａｃｉｎｇ））ことを図示する。最後に、ユーザーが統一ツール及び統一情報ユニットの間の動作関係により（例えば、両者の間のクリック動作またはドラッグ動作）統一ツールを使用して対応する統一情報ユニットにアクセス或いは制御させることにより、必要なタスクを実行させる。
【００６１】
本実施形態で述べる「統一スクリプトを、個人用ワークスペースを実現するための中間言語とする具体的な実施方式」、「ユーザーが実際の応用の必要に応じて必要な統一情報ユニット及び／或いは必要な統一ツールを対応する情報源に基づいて個人用ワークスペース中に自由に組み合わせることでタスクを実行する具体的な実施方式」はアメリカ特許出願第１４／３２５４６６号「ＭＥＴＨＯＤ  ＦＯＲ  ＰＥＲＦＯＲＭＩＮＧ  ＴＡＳＫ  ＯＮ  ＵＮＩＦＩＥＤ  ＩＮＦＯＲＭＡＴＩＯＮ  ＵＮＩＴＳ  ＩＮ  Ａ  ＰＥＲＳＯＮＡＬ  ＷＯＲＫＳＰＡＣＥ」を更に参照し、アメリカ特許出願第１４／３２４０６９号、アメリカ特許出願第１４／３２５４６６を国際優先権主張の基礎とする中国特許出願第２０１４１０７９６５２８．４号「パーソナルワークスペースで統一要素に対して組合せを行う方法、並びに上記方法を応用するコンピュータプログラム製品及びシステム」を参照し、ここでの詳述は省く。
【００６２】
ちなみに、上述の個人用ワークスペースはワークスペースの実施形態にすぎず、本発明に応用されるワークスペースは上述のものに限定されない。例えば、ワークスペースを実現させるための中間言語とする統一スクリプトが予め編集されて、ワークスペースが既定のマテライザー及び／或いは既定の情報及び／或いは既定のツールがビルトインされるワークスペースとなる。このようなワークスペースは単一のユーザーによる使用に限定されず、実際の応用の需要に応じて複数のユーザーが同時または別々に操作可能である。
【００６３】
さらに、本文で述べる「ワークスペース」は、「ワークスペースを投影する方法」により計算能力を有するあらゆる電子デバイスに投影され、あらゆるユーザーが計算能力を有するあらゆる電子デバイス上で「投影されたワークスペース（ｐｒｏｊｅｃｔｅｄ  ｗｏｒｋｓｐａｃｅ）」を操作可能である。
【００６４】
ある実施形態では、ワークスペースを投影する方法は、先ず、統一資源識別子（ＵＲＩ）により統一スクリプトで生成（ｉｎｓｔａｎｔｉａｔｅｄ）されるプロジェクト可能な空間のインスタンス（ｐｒｏｊｅｃｔａｂｌｅ  ｓｐａｃｅ  ｉｎｓｔａｎｃｅ）が取得されることを含む。統一スクリプトは、マテライザー、情報、及びツールの内の少なくとも１つにより構築されるワークスペースが配置されるように定義され（例えば、前述の説明）、且つプロジェクト可能な空間のインスタンスはワークスペースに対応する投影されたワークスペースの構築に用いられ、マテライザー、情報、及びツールの内の少なくとも１つを操作することでタスクを実行できるインターフェースが提供されるステップを含む。次に、機械のプロジェクター（ｐｒｏｊｅｃｔｏｒ）が利用されて上記プロジェクト可能な空間のインスタンスが解析され、マテライザー、情報、及びツールの内の少なくとも１つが上記プロジェクト可能な空間のインスタンス中に配置される作業環境が構築され、投影されたワークスペースが実行され、これにより少なくとも１人のユーザー及び投影されたワークスペースが相互作用する。
【００６５】
プロジェクターはリモートデータステーション、プロジェクト可能な空間のインスタンス、またはプレロードされたアプリケーションプログラム中から取得され、且つ互換環境を提供してプロジェクターを実行させるためのエンジン（ｅｎｇｉｎｅ）にロードされる。エンジンはＪａｖａ（登録商標）ｓｃｒｉｐｔエンジン、ウィンドウズ（登録商標）アプリケーションプログラム、或いはＬｉｎｕｘ（登録商標）アプリケーションプログラム等を含むが、上述のものに限定されない。また、統一スクリプトは、ドキュメントタイプ定義（ＤＴＤ）、拡張可能マークアップ言語スキーマ（ＸＭＬ  ｓｃｈｅｍａ）、構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）等で宣言されることにより形成されるが、上述のものに限定されない。プロジェクト可能な空間のインスタンスは、オブジェクト（ｏｂｊｅｃｔ）、拡張可能マークアップ言語（ＸＭＬ）ドキュメント、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）等で生成されるインスタンス（ｉｎｓｔａｎｃｅ）であるが、上述のものに限定されない。
【００６６】
更に詳しくは、図４、図５Ａ〜図５Ｂ及び図６を参照し、図４は好ましい実施形態における上述のワークスペースの投影方法の初期状態の概略図であり、図５Ａ及び図５Ｂは図４に示すワークスペースの投影方法の運用概念の概略図であり、図６は図４に示すプロジェクト可能な空間のインスタンス及び図５Ｂに示す投影されたワークスペースの相対関係の概略図である。
【００６７】
また、図４に示す初期状態において、相互に接続される（例えば、インターネットを通して接続される）第一電子装置９７１及び第二電子装置９７２が存在し、且つ第一電子装置９７１にはプロジェクト可能な空間のインスタンス９７３が保存され、第二電子装置９７２にはプロジェクター９７４がビルトインされる。
【００６８】
なお、統一スクリプト９７３１はドキュメントタイプ定義（ＤＴＤ）で宣言されることにより形成され、且つ少なくとも１つの情報入力器（マテライザーの実施態様）及び／或いは少なくとも１つの統一情報ユニット及び／或いは少なくとも１つの統一ツールにより構築（ｍｏｄｅｌ）されるワークスペースが配置されるように定義され、プロジェクト可能な空間のインスタンス９７３は拡張可能マークアップ言語（ＸＭＬ）で生成されるインスタンスであり、図６に示すように、ワークスペースに対応する投影されたワークスペース９７６の構築（ｂｕｉｌｄ）に用いられ、且つ情報入力器及び／或いは統一情報ユニット及び／或いは統一ツールがその中に加えられるか、またはその中から削除される。
【００６９】
さらに、第二電子装置９７２のプロジェクター９７４は、第二電子装置９７２上に投影されたワークスペース９７６の動作に用いられる作業環境９７５を構築させ、且つマイクロカーネル９７７（図６参照）が上記作業環境９７５に提供されることにより投影されたワークスペース９７６中に加えられる少なくとも１つの情報入力器及び／或いは少なくとも１つの統一情報ユニット及び／或いは少なくとも１つの統一ツールが装備（ｅｑｕｉｐ）される。第二電子装置９７２が統一資源識別子により第一電子装置９７１中のプロジェクト可能な空間のインスタンス９７３を取得させると、第二電子装置９７２のプロジェクター９７４がプロジェクト可能な空間のインスタンス９７３に対する解析を開始させる（図５Ａ参照）。なお、プロジェクト可能な空間のインスタンス９７３がプロジェクター９７４により解析された後、投影されたワークスペース９７６がプロジェクト可能な空間のインスタンス９７３により解析された内容に基づいて作業環境９７５上に構築される（図５Ｂ参照）。これにより、第二電子装置９７２のユーザーは第二電子装置９７２を介して投影されたワークスペース９７６との相互作用が可能になり、関連するタスクが実行される。
【００７０】
以下、図６に示す使用状況を例に上述の統一スクリプト９７３１、プロジェクト可能な空間のインスタンス９７３、及び投影されたワークスペース９７６の相互の関係を説明する。図６に示す使用状況は、投影されると共に指定されたインターネット空間内に保存されるｊｐｇフォーマットイメージファイル及びｇｉｆフォーマットイメージファイルを読み取り可能なユーザーに観察させるためのワークスペースが構築される。また、本使用状況において、統一スクリプト９７３１は、ドキュメントタイプ定義（ＤＴＤ）で宣言され、プロジェクト可能な空間のインスタンス９７３は拡張可能マークアップ言語（ＸＭＬ）で生成される。
【００７１】
なお、プロジェクト可能な空間のインスタンス９７３には、情報入力器及び統一ツールが加えられ、且つ情報入力器により少なくとも１つの元の情報に対応する少なくとも１つの統一情報ユニットが投影されたワークスペース９７６中に入力される。本使用状況において、情報入力器はＤｒｏｐｂｏｘ入力器であり（すなわち、破線枠９７６１として図示する）、且つ元の情報はＤｒｏｐｂｏｘ９７９情報源中のｊｐｇフォーマットイメージファイル９７９１、９７９２、及びｇｉｆフォーマットイメージファイル９７９３であり、統一情報ユニットは後述の統一ｊｐｇフォーマットイメージファイル９７９１’、９７９２’、及び統一ｇｉｆフォーマットイメージファイル９７９３’であり、統一ツールはイメージビューアであり（すなわち、破線枠９７６２として図示する）、投影されたワークスペース９７６中に入力されるフォーマットイメージファイルの読み取りに用いられる。
【００７２】
さらに、投影されたワークスペース９７６は、プロジェクト可能な空間のインスタンス９７３で第二電子装置９７２におけるプロジェクター９７４により解析された後に構築され、投影されたワークスペース９７６上にＤｒｏｐｂｏｘ入力器９７６１’（図示されている破線枠９７６１に対応する）及びイメージビューア９７６２’（図示されている破線枠９７６２に対応する）が配置され、Ｄｒｏｐｂｏｘ入力器９７６１’によりＤｒｏｐｂｏｘ９７９情報源中のｊｐｇフォーマットイメージファイル９７９１、９７９２、及びｇｉｆフォーマットイメージファイル９７９３が統一されると共に投影されたワークスペース６に入力され、ｊｐｇフォーマットイメージファイル９７９１、９７９２、及びｇｉｆフォーマットイメージファイル９７９３にそれぞれ対応する統一ｊｐｇフォーマットイメージファイル９７９１’、９７９２’、及び統一ｇｉｆフォーマットイメージファイル９７９３’が投影されたワークスペース９７６上で表示される。次いで、第二電子装置９７２のユーザー９７２のユーザーが特定の操作方式により統一ｊｐｇフォーマットイメージファイル９７９１’、９７９２’、及び統一ｇｉｆフォーマットイメージファイル９７９３’の内の何れか１つに対する操作を行うと（例えば、統一ｊｐｇフォーマットイメージファイル９７９１’、９７９２’、及び統一ｇｉｆフォーマットイメージファイル９７９３’の内の何れか１つがクリックされる、或いは統一ｊｐｇフォーマットイメージファイル９７９１’、９７９２’、及び統一ｇｉｆフォーマットイメージファイル９７９３’の内の何れか１つがイメージビューア９７６２’までドラッグされる）、イメージビューア９７６２’により統一ｊｐｇフォーマットイメージファイル９７９１’、９７９２’、及び統一ｇｉｆフォーマットイメージファイル９７９３’の内の何れか１つの内容が読み取られて表示され、ユーザーが観察できるようになる。また、上述のＤｒｏｐｂｏｘ入力器９７６１’及びイメージビューア９７６２’はマイクロカーネル９７７により装備（ｅｑｕｉｐ）される。
【００７３】
ちなみに、プロジェクト可能な空間のインスタンス９７３の統一資源識別子は、ハイパーテキスト・トランスファー・プロトコル（ＨＴＴＰ）統一資源識別子またはファイル転送プロトコル（ＦＴＰ）統一資源識別子であり、第一電子装置９７１及び第二電子装置９７２が１つの装置に統合される場合、プロジェクト可能な空間のインスタンス９７３の統一資源識別子もローカルファイル（ｌｏｃａｌ  ｆｉｌｅ）統一資源識別子である。但し、統一資源識別子の形態は上述のものに限られない。
【００７４】
本実施形態で述べる「ワークスペースの投影方法の具体的な獲得方式」はアメリカ特許出願第１４／５７７７７２号「ＭＥＴＨＯＤ  ＯＦ  ＰＲＯＪＥＣＴＩＮＧ  Ａ  ＷＯＲＫＳＰＡＣＥ  ＡＮＤ  ＳＹＳＴＥＭ  ＵＳＩＮＧ  ＴＨＥ  ＳＡＭＥ」を参照し、アメリカ特許出願第１４／３２４０６９、１４／３２５４６６、１４／５７７７７２号を国際優先権主張の基礎とする中国特許出願第２０１４１０８１４１３８．５号「ワークスペースの投影方法及び上記ワークスペースの投影方法を応用するシステム」を参照し、ここでの詳述は省く。
【００７５】
ちなみに、上述のワークスペースの投影方法は、本願のワークスペースが計算能力を有するあらゆる電子デバイスに投影される投影方法にすぎない。但し、ワークスペースが計算能力を有するあらゆる電子デバイスに投影される投影方法は上述のものに限られない。本技術分野に習熟する者ならば実際の応用の需要に応じて同等の効果を達成させるあらゆる設計変更が可能である。次に、何れのワークスペースも全て計算能力を有するあらゆる電子デバイスに投影され、故に何れのワークスペースも全て計算能力を有するあらゆる電子デバイスに伝送（ｄｅｌｉｖｅｒｙ）されるワークスペースと見做せる。
【００７６】
以下の段落で述べる「伝送可能な作業システム」及び「作業システムの空間インスタンス」はそれぞれ上述の「ワークスペース」及び「プロジェクト可能な空間のインスタンス」の実施態様である。作業システム（ｗｏｒｋ  ｓｙｓｔｅｍ）は主にグループ（ｇｒｏｕｐ）またはセット（ｓｅｔ）作業を含み、且つ「作業システムの空間インスタンス」がプロジェクターにより解析された後に何れかの機器上で実行される「伝送可能な作業システム」は、ワークスペースに対応する投影されたワークスペースと見做せる。また、以下の段落で述べるホームシステム（ｈｏｍｅ  ｓｙｓｔｅｍ）は主に作業システムの管理に用いられるが、この限りではない。且つ、ホームシステムが設定されてその機能が、他のサブシステム（ｓｕｂｓｙｓｔｅｍ）、マテライザー（Ｍａｔｔｅｒｉｚｅｒ）、ツール、または情報の管理にまで拡張される。このほか、ホームシステムは適切なプラットフォーム中で起動され、例えば、ブラウザ、ウィンドウズ（登録商標）プラットフォーム、または組み込みシステム中においてフィジカルハードウェア上で起動される。
【００７７】
図７は本発明に係るソーシャルネットワークを設立する方法のブロックシステムの概略図である。先ず、リモートデータステーションに位置されるウェブサーバー２１がインターネットに接続され、ホームシステム２４と、作業システムの空間インスタンス（ｓｐａｃｅ  ｉｎｓｔａｎｃｅ）２０と、プロジェクター２２とを含む。第一状況において、ユーザーは適切な方式によりウェブサーバー２１中に作業システムの空間インスタンス２０を構築、配置、または保存させる。本発明において、作業システムの空間インスタンス２０に関連付けられる上記ユーザーは、関連第一ユーザー１と呼ばれる。このため、作業システムの空間インスタンス２０と関連第一ユーザー１との間には、図７の破線２０１に示す直接リンク関係が構築され、且つ関連第一ユーザー１のアカウントデータは同時に作業システムの空間インスタンス２０中に記録される。作業システムの空間インスタンス２０は統一資源識別子（Ｕｎｉｆｏｒｍ  Ｒｅｓｏｕｒｃｅ  Ｉｄｅｎｔｉｆｉｅｒ、ＵＲＩ）によりウェブサーバー２１から取得され、ローカル機器上に伝送可能な作業システム１０が構築されるが、これに限定されない。また、ウェブサーバー２１中に位置されるプロジェクター２２は、同じか或いは拡張可能な統一資源識別子により作業システムの空間インスタンス２０と共に取得されるが、これに限定されない。
【００７８】
また、関連第一ユーザー１がブラウザ１６を起動させて実行させると、ウェブサーバー２１のホームシステム２４からロードされると共に第一ホームシステム１４（実線２４１で示す）が起動され、そのローカル機器上で第一ホームシステム１４が実行されるが、これに限定されない。なお、ブラウザ１６が機器またはローカル機器の適切な記憶媒体（図示せず）にインストールされる。第一ホームシステム１４には、プロジェクター１２が配置されるか、配置されず、第一ホームシステム１４にプロジェクター１２が未配置の場合、第一ホームシステム１４がウェブサーバー２１からプロジェクター２２を起動させることによりプロジェクター１２が取得される。作業システムの空間インスタンス２０が第一ホームシステム１４に入力され、プロジェクター１２により作業システムの空間インスタンス２０が解析された後に作業システムの空間インスタンス２０に対応する伝送可能な作業システム１０が第一ホームシステム１４に投影される（破線２００で示す）。本発明では、プロジェクター１２によりマイクロカーネル（ｍｉｃｒｏｋｅｒｎｅｌ）が提供され、少なくとも１つのマテライザー（Ｍａｔｔｅｒｉｚｅｒ）、少なくとも１つの統一情報ユニット、及び／或いは少なくとも１つの統一ツールが伝送可能な作業システム１０中に提供されると共に実行される。
【００７９】
好ましい第一実施形態において、関連第一ユーザー１は、第一ホームシステム１４を有し、且つ第一ホームシステム１４を使用して伝送可能な作業システム１０のホスト及び管理を行う。第一ホームシステム１４において、関連第一ユーザー１は、単一または複数の各種マテライザー（Ｍａｔｔｅｒｉｚｅｒ）、統一ツール、或いは統一情報ユニットを自由に組み合わせて伝送可能な作業システム１０を配置することができる。すなわち、投影された後の伝送可能な作業システム１０がマテライザー（Ｍａｔｔｅｒｉｚｅｒ）、統一情報ユニット、或いは統一ツールを装備、導入、または追加可能である。或いは、関連第一ユーザー１は、他のユーザーが構築及び配置した伝送可能な作業システム１０を取得できる。上記の状況では、関連第一ユーザー１は、その第一ホームシステム１４中で伝送可能な作業システム１０にアクセスする。これにより、関連第一ユーザー１は、その第一ホームシステム１４を使用して伝送可能な作業システム１０のホスト及び管理を行い、且つ伝送可能な作業システム１０を招待したい他のユーザーに伝送する。
【００８０】
例示するのみで限定するわけではないが、例えば、Ｗｈａｔｓａｐｐ（登録商標）、Ｌｉｎｅ（登録商標）、Ｆａｃｅｂｏｏｋ、Ｔｗｉｔｔｅｒ（登録商標）等のネットワーク（ｎｅｔｗｏｒｋ）チャネル、または遠距離通信（Ｔｅｌｅｃｏｍｍｕｎｉｃａｔｉｏｎ）、ファックス（Ｆａｘ）等の電気通信（ｔｅｌｅｃｏｍ）チャネル、或いは便箋（ｐａｐｅｒ  ｎｏｔｅ）等のフィジカル（ｐｈｙｓｉｃａｌ）チャネル等の適合するチャネル（ｃｈａｎｎｅｌ）１１を通して、第一ホームシステム１４中の伝送可能な作業システム１０が単一または複数の第二ユーザー２に伝送され、伝送可能な作業システム１０及び第二ユーザー２が関連付けられる。ここから分かるように、図７の伝送可能な作業システム１０は、単一の第二ユーザー２にのみ伝送されるが、但し関連第一ユーザー１は各種のチャネル１１を通して伝送可能な作業システム１０が複数の第二ユーザー２に同時または連続的に伝送されてもよく、図７に示すものに限定されない。また、破線２０１１に示すように、チャネル１１の伝送可能な作業システム１０は、作業システムの空間インスタンス２０の統一資源識別子または作業システムの空間インスタンス２０に対応する他の適切なリンクにより識別される。
【００８１】
これにより、伝送可能な作業システム１０は、統一資源識別子により伝送され、且つプロジェクターは伝送可能な作業システム１０と一緒に伝送されるか、或いは一緒には伝送されない。本例における統一資源識別子は、ハイパーテキスト・トランスファー・プロトコル（ｈｙｐｅｒｔｅｘｔ  ｔｒａｎｓｆｅｒ  ｐｒｏｔｏｃｏｌ、ＨＴＴＰ）統一資源識別子またはファイル・トランスファー・プロトコル（ｆｉｌｅ  ｔｒａｎｓｆｅｒ  ｐｒｏｔｏｃｏｌ、ＦＴＰ）統一資源識別子である。第二ユーザー２が伝送可能な作業システム１０を開くと、上記第二ユーザー２が伝送可能な作業システム１０に関連付けられ、且つ関連第二ユーザー２５と呼ばれる。
【００８２】
何れかの関連第二ユーザー２５がプリセットのプロジェクター３２を有するか、有しない状況で伝送可能な作業システム１０を取得させる。例えば、何れかの第二ユーザー２がプリセットのブラウザ３６を有するネットワーク接続ユニットを使用する。プリセットのブラウザ３６には、プロジェクターが配置されず、関連第二ユーザー２５は関連第一ユーザー１が提供する統一資源識別子により伝送可能な作業システム１０及びプロジェクター３２を取得させる。この場合、プリセットのブラウザ３６を有するネットワーク接続ユニットがリモートサイト（例えば、ウェブサーバー２１）に位置されるプロジェクター２２の統一資源識別子によりプロジェクター３２をロードさせると共に起動させ（実線２２１で示す）、その後にプロジェクター３２が使用されて伝送可能な作業システム１０が取得されると共に投影され、伝送可能な作業システム１０及び第二ユーザー２が関連付けられる。これにより、他の直接リンク関係（図７の第二ユーザー２の破線２０１に示す）が作業システムの空間インスタンス２０と関連第二ユーザー２５との間に構築される（第二ユーザー２から変換される）。
【００８３】
また、何れかの第二ユーザー２がプリインストールされたアプリケーション（図示せず）、例えば、プログラム（ｐｒｏｇｒａｍ）、エンジン（ｅｎｇｉｎｅ）、またはエージェントを有するネットワーク接続ユニットを使用する。例えば、エンジン（ｅｎｇｉｎｅ）はＪａｖａ（登録商標）ｓｃｒｉｐｔエンジン、ウィンドウズ（登録商標）アプリケーション、或いはＬｉｎｕｘ（登録商標）アプリケーションである。プリインストールされたアプリケーションはプロジェクターを実行するための互換環境を提供する。この場合、プロジェクター３２が先ず取得されると共にプリインストールされたアプリケーションにロードされ、その後にプロジェクター３２により伝送可能な作業システム１０が取得されると共に投影され、伝送可能な作業システム１０及び第二ユーザー２が関連付けられる。
【００８４】
関連第一ユーザー１が伝送可能な作業システム１０を伝送させる行為と同じように、関連第二ユーザー２５が異なるチャネル１１を通して伝送可能な作業システム１０を更に伝送させる。ここから分かるように、異なる第二ユーザー２が前述の伝送ステップを重複して実行することにより、伝送可能な作業システム１０と各関連第二ユーザー２５との間の直接リンク関係が構築される。複数の直接リンク関係に基づいて、第二ホームシステムを有しない関連第二ユーザー２５が伝送可能な作業システム１０により関連付けられる。伝送可能な作業システム１０は、関連第一ユーザー１により伝送されることにより、関連第一ユーザー１及び各関連第二ユーザー２５は全て伝送可能な作業システム１０との直接リンク関係が形成される。このため、関連第一ユーザー１及び関連第二ユーザー２５の間のソーシャルネットワークは、伝送可能な作業システム１０との直接リンク関係により構築される。
【００８５】
第一ステップでは、ソーシャルネットワークサービスプロバイダーが提供するアカウントに登録またはログインにしなければならない従来のソーシャルネットワークサイトと比較し、ユーザーは本発明に係る伝送可能な作業システム１０に直接関連付けられ、いかなるホームシステムも構築されないため、ユーザーのネットワークアカウント管理に関わる負担が効果的に軽減される。同時に、ソーシャルネットワークサービスプロバイダーのアカウント管理コストも削減できる。関連第二ユーザー２５が第二ホームシステムを有しない状況において伝送可能な作業システム１０を実行させるが、関連第二ユーザー２５は第二ホームシステムを構築させて伝送可能な作業システム１０のホスト及び管理を行う。ここから分かるように、第二ホームシステムが構築されると関連第二ユーザー２５が第二ホームシステム中で伝送可能な作業システム１０をより簡単に操作できるようになり、ソーシャルネットワークが更に拡張される。このため、以下の段落では、更に例を示して本発明のホームシステムの構築プロセスを説明する。
【００８６】
図８は、本発明の第二ホームシステムの構築プロセスの概略図である。図８を示すように、関連第二ユーザー２５がいかなるアカウントも有せずに、またはいかなる既存のアカウントにログインせずとも、関連第二ユーザー２５が関連第一ユーザー１から伝送される伝送可能な作業システム１０を開くことができる。この場合、伝送可能な作業システム１０のインターフェース中にはホームシステムを構築させるためのボタン１０１が表示され、関連第二ユーザー２５が自身で第二ホームシステムを構築できるようになる。破線１０１１はパスを表し、例えば、限定させるわけではないが、ｈｔｔｐ：／／ｗｗｗ．ｈｏｍｅ．ｃｏｍ／ｃｒｅａｔｅｈｏｍｅ／．．．／ｗｏｒｋ  ｓｙｓｔｅｍ等のパスを表す。上記パスはホームシステム及びブラウザ３６によりウェブサーバー２１から取得される伝送可能な作業システム１０のリンクを含み、且つ上記パスはホームシステムを構築させるためのボタン１０１から発生する命令に応じて生成され、例えば、関連第二ユーザー２５がホームシステムを構築させるためのボタン１０１をクリックすると発生する命令に応じて生成される。次いで、第二ホームシステム３４の登録ダイアログ３３がウェブサーバー２１のホームシステム２４からロードされると共に起動され（実線２４１に示す）、その後に関連第二ユーザー２５のブラウザ３６に投影される。一般的には、登録ダイアログ３３により、複数のテキストアイテム、または関連第二ユーザー２５がテキストを入力するためのインターフェースが提供される。例えば、限定するわけではないが、関連第二ユーザー２５はアイテム３３１中にアカウントを入力すると共にアイテム３３２中にパスワードを入力して新しい第二ホームシステム３４を構築させる。登録ダイアログ３３は従来のソーシャルネットワークサービスプロバイダーに関連する特定のアイテムを更に提供し、関連第二ユーザー２５は従来のアカウントを選択してログインできる。例えば、関連第二ユーザー２５がアイテム３３３にＦａｃｅｂｏｏｋのアカウントを入力し、またはアイテム３３４にＴｗｉｔｔｅｒのアカウントを入力する。関連第二ユーザー２５が登録ダイアログ３３中のボタン３３７をクリックしてそのアカウントを確認すると、伝送可能な作業システム１０が新しい第二ホームシステム３４中で再度開かれる。ここから分かるように、関連第二ユーザー２５及びウェブサーバー２１中の作業システムの空間インスタンス２０の直接リンク関係は図８中には図示されていないが、その両者の間の直接リンク関係は第二ホームシステム３４が構築されてログインされた際には常に存在している。
【００８７】
新しいアカウントが構築されると、ウェブサーバー２１により関連第二ユーザー２５に対応する新しいアカウントが作業システムの空間インスタンス２０に加えられ、且つウェブサーバー２１中のホームシステム２４により関連第二ユーザー２５の新しいアカウントが記録され、且つ伝送可能な作業システム１０が新しいアカウントに記録される。従来のアカウントを使用する場合、ウェブサーバー２１により関連第二ユーザー２５の従来のアカウントが作業システムの空間インスタンス２０に記録される。
【００８８】
図９は、本発明におけるユーザーの従来のまたはプリセットのホームシステム中で伝送可能な作業システムが開かれるプロセスの概略図である。図９の左のブロックに示すように、第二ユーザー３は先ずその機器を使用して従来のアカウントでブラウザ３６及び第二ホームシステム３４を実行させる。本発明において、関連第一ユーザー１（図７に示す）が伝送可能な作業システム１０を第二ユーザー３に伝送させると、作業開始のボタン３４１がポップアップウィンドウまたは第二ホームシステム３４のユーザーインタフェースに表示される。その後、図９の中央のブロックに示すように、第二ユーザー３が作業開始のボタン３４１をクリックさせると、第二ホームシステム３４中でダイアログ３５が開かれる。ダイアログ３５により、第二ユーザー３が伝送可能な作業システム１０に対応する統一資源識別子を入力または貼り付けるために用いられるアイテム３５３が提供され、ダイアログ３５は第二ユーザー３がアイテム３５３中に入力または貼り付けたテキストを確認するために用いられるボタン３５７を含む。但し、図９に示すダイアログ３５は例を示して説明するためのものにすぎず、本発明のダイアログ３５は上述のものに限定されない。また、伝送可能な作業システム１０の統一資源識別子がアイテム３５３に予め貼り付けられると共に第二ユーザー３により確認されてもよい。但しこれに限定されない。その後、図９の右のブロックに示すように、伝送可能な作業システム１０は第二ユーザー３がボタン３５７をクリックさせた際に発生する命令に応じて第二ホームシステム３４中で開かれ、第二ユーザー３が伝送可能な作業システム１０に関連付けられて関連第二ユーザー２５となる。ちなみに、プロジェクター３２は必要に応じて伝送可能な作業システム１０と共に第二ホームシステム３４にロードされる。
【００８９】
図７、図１０及び図１１を参照する。図１０は本発明に係る作業システムの空間インスタンスの例の概略図を示し、図１１は本発明が投影された後の伝送可能な作業システムのインターフェースの例の概略図を示す。図１０を示すように、本発明の例として説明する作業システムの空間インスタンス２０は、伝送可能な作業システム１０のＸＭＬ文書２３（ｅＸｔｅｎｓｉｂｌｅ  Ｍａｒｋｕｐ  Ｌａｎｇｕａｇｅ、ＸＭＬ）であるが、これに限定されない。典型的な伝送可能な作業システム１０について、伝送可能な作業システム１０に関連付けられるユーザーがＸＭＬ文書２３にリストアップされ、例えばテキスト２３１、２３３、及び２３５に示すように、伝送可能な作業システム１０と各関連付けられるユーザーとの間の直接リンク関係が構築される。伝送可能な作業システム１０の例としてのインターフェース１３に表示されるユーザー１３１、１３３、及び１３５はＸＭＬ文書２３中のテキスト２３１、２３３、及び２３５にそれぞれ対応すると共にインターフェース１３に投影される。伝送可能な作業システム１０に関連付けられる何れかのユーザーが同時または連続的にＸＭＬ文書２３に記入され、ＸＭＬ文書２３が更新される。各関連付けられるユーザーは伝送可能な作業システム１０のインターフェース１３により他の関連付けられるユーザーを閲覧でき、伝送可能な作業システム１０のインターフェース１３を介して他の関連付けられるユーザーと相互作用可能になる。
【００９０】
図７、図１０及び図１１を示すように、各種の統一ツールはＸＭＬ文書２３により導入され、例えば、テキスト２３２は通信ツール「Ｍｅｓｓａｇｅｒ」を表し、テキスト２３４は指向ツール「Ｄｉａｌｅｒ」を表し、テキスト２３６はこれに対応するツール「Ｃｏｌｌｅｃｔｏｒ」を表す。本発明に係る伝送可能な作業システム１０により関連付けられるユーザーに各種ツールが提供され、且つ各関連付けられるユーザーは、図１１中のアイテム１３２、１３４、及び１３６に示すような適合するツールを選択し、伝送可能な作業システム１０中の他の関連付けられるユーザーと通信できる。例えば、関連付けられるユーザーがユーザー１３１とツール「Ｄｉａｌｅｒ」を使用して通信する場合、ユーザー１３１を伝送可能な作業システム１０のインターフェース１３中のアイテム１３４（テキスト入力欄であるが、これに限定されない）にドラッグさせ、こうして関連付けられるユーザーとユーザー１３１とがツール「Ｄｉａｌｅｒ」を使用して相互に通信でき、且つ様々な情報を伝送可能な作業システム１０のアイテム１３４に入力することで共同作業を行える。このように、他の関連付けられるユーザーとは異なるホームシステムを有するか、有しない何れかの関連付けられるユーザーは全て伝送可能な作業システム１０中で他の関連付けられるユーザーと通信可能になる。ユーザーは単一または少数の特定の目的のために新しいアカウントを登録せずとも、伝送可能な作業システム１０の直接リンク関係によりそのソーシャルネットワークを構築でき、且つ拡張もできる。
【００９１】
図１２は、本発明に係る複数のホームシステムまたは複数のユーザーが、伝送可能な作業システムによりソーシャルネットワークを形成させる概略図である。図１２を示すように、ソーシャルネットワーク４はその核心とする複数の伝送可能な作業システム１０を含む。各伝送可能な作業システム１０と各関連第一ユーザー１或いは関連第二ユーザー２５との間には直接リンク関係が形成される。あらゆる関連付けられるユーザーは、その第一ホームシステム１４または第二ホームシステム３４を有し、伝送可能な作業システム１０のホスト及び管理を行う。関連第一ユーザー１及び関連第二ユーザー２５は、全て直接リンク関係（実線２０１）を介して伝送可能な作業システム１０に関連付けられる。
【００９２】
上述の説明から分かるように、本発明に係るソーシャルネットワークを設立する方法は、非一時的な記憶媒体に保存され、ネットワーク接続ユニットが実行させるか、ネットワーク接続ユニットに実行を指示する複数の命令を有する。本発明において例として説明するネットワーク接続ユニットは、プログラム（ｐｒｏｇｒａｍ）、エンジン（ｅｎｇｉｎｅ）、またはマイクロカーネル（ｍｉｃｒｏｋｅｒｎｅｌ）が装備され、本方法が実行される。伝送可能な作業システムは複数の個人ユーザーまたは従来のソーシャルネットワークのユーザーをリンクさせるために使用され、ユーザーは伝送可能な作業システムに関連付けられると共に伝送可能な作業システムが複数の他のユーザーに伝送され、そのソーシャルネットワークが構築され、その個人が有するホームシステムにより伝送可能な作業システムがホストされると共に管理される。
【００９３】
以上が本発明の好ましい実施形態のみのであり、本発明の権利請求範囲を限定するものではなく、本発明の精神を逸脱せずに行う同等の効果を達成させる改変または修飾も、本発明の権利請求範囲内に含まれる。
【符号の説明】
【００９４】
１  関連第一ユーザー、
２  第二ユーザー、
３  第二ユーザー、
４  ソーシャルネットワーク、
１０  伝送可能な作業システム、
１１  チャネル、
１２  プロジェクター、
１３  インターフェース、
１４  第一ホームシステム、
１６  ブラウザ、
２０  作業システムの空間インスタンス、
２１  ウェブサーバー、
２２  プロジェクター、
２３  ＸＭＬ文書、
２４  ホームシステム、
２５  関連第二ユーザー、
３２  プロジェクター、
３３  登録ダイアログ、
３４  第二ホームシステム、
３５  ダイアログ、
３６  ブラウザ、
１０１  ボタン、
１３１  ユーザー、
１３２  アイテム、
１３３  ユーザー、
１３４  アイテム、
１３５  ユーザー、
１３６  アイテム、
２００  破線、
２０１  破線、
２２１  実線、
２３１  テキスト、
２３２  テキスト、
２３３  テキスト、
２３４  テキスト、
２３５  テキスト、
２３６  テキスト、
２４１  実線、
３３１  アイテム、
３３２  アイテム、
３３３  アイテム、
３３４  アイテム、
３３７  ボタン、
３４１  ボタン、
３５３  アイテム、
３５７  ボタン、
９７１  第一電子装置、
９７２  第二電子装置、
９７３  プロジェクト可能な空間のインスタンス、
９７４  プロジェクター、
９７５  作業環境、
９７６  投影されたワークスペース、
９７７  マイクロカーネル、
９７９  Ｄｒｏｐｂｏｘ、
９８０  統一スクリプト、
９８１  個人用ワークスペース、
９８２  Ｄｒｏｐｂｏｘ、
９８３  クラウドストレージ、
９８４  サーバー、
９８５  元の情報、
９８５’  統一情報ユニット、
９８６  元のツール、
９８６’  第一統一ツール、
９８７  元のツール、
９８７’  第二統一ツール、
９８９  アダプタ、
９９１  元の要素、
９９２  マテライザー、
９９３  統一データモデル、
９９４  統一要素、
１０１１  破線、
２０１１  破線、
９７３１  統一スクリプト、
９７６１  破線枠、
９７６１’Ｄｒｏｐｂｏｘ入力器、
９７６２  破線枠、
９７６２’イメージビューア、
９７９１  ｊｐｇフォーマットイメージファイル、
９７９１’統一ｊｐｇフォーマットイメージファイル、
９７９２  ｊｐｇフォーマットイメージファイル、
９７９２’統一ｊｐｇフォーマットイメージファイル、
９７９３  ｇｉｆフォーマットイメージファイル、
９７９３’統一ｇｉｆフォーマットイメージファイル、
９８８１  情報入力器、
９８８２  情報入力器、
９８８３  情報入力器。
【図１】
2017523541.tif 000003
【図２】
2017523541.tif 000004
【図３】
2017523541.tif 000005
【図４】
2017523541.tif 000006
【図５Ａ】
2017523541.tif 000007
【図５Ｂ】
2017523541.tif 000008
【図６】
2017523541.tif 000009
【図７】
2017523541.tif 000010
【図８】
2017523541.tif 000011
【図９】
2017523541.tif 000012
【図１０】
2017523541.tif 000013
【図１１】
2017523541.tif 000014
【図１２】
2017523541.tif 000015
【国際調査報告】
2017523541.tif 000016
2017523541.tif 000017